(57)【特許請求の範囲】
【請求項１】
内部で電気機器が組み立てられる組立室と、
前記組立室に隣接して設けられ、電気機器の構成部品が内部に保管される前室と、
前記組立室と前記前室との間を仕切る間仕切と
を備え、
前記間仕切は、上端から下端まで一緒に水平方向に開閉される水平開閉式間仕切シートと、下端から上方に向けて開放可能な垂直開閉式間仕切シートとを含む、電気機器の現地組立ハウス。
【請求項２】
前記間仕切は、前記水平開閉式間仕切シートと前記垂直開閉式間仕切シートとが重ねられて２重構造に設けられている、請求項１に記載の電気機器の現地組立ハウス。
【請求項３】
前記水平開閉式間仕切シートおよび前記垂直開閉式間仕切シートをそれぞれ支持するシート支持部をさらに備え、
前記シート支持部は、前記組立室と前記前室とが並ぶ方向において移動可能に設けられている、請求項１または２に記載の電気機器の現地組立ハウス。
【請求項４】
前記間仕切において、前記水平開閉式間仕切シートおよび前記垂直開閉式間仕切シートのうち互いに隣接して位置するシート同士は重複部を有し、
前記重複部は面ファスナーを有し、
前記水平開閉式間仕切シートおよび前記垂直開閉式間仕切シートが閉じた状態において、互いに隣接して位置するシート同士の前記重複部は前記面ファスナーにより互いに固定されている、請求項１から３のいずれかに記載の電気機器の現地組立ハウス。
【請求項５】
前記組立室内を気密に維持するために、前記水平開閉式間仕切シートおよび前記垂直開閉式間仕切シートの周側部の少なくとも一部に位置する目張りシートをさらに備える、請求項１から４のいずれかに記載の電気機器の現地組立ハウス。
【発明の詳細な説明】
【技術分野】
【０００１】
本発明は、電気機器の現地組立ハウスに関し、特に、分解輸送されて現地で組み立てられる電気機器の現地組立ハウスに関する。
【背景技術】
【０００２】
電気機器の現地組立ハウスの構成を開示した先行文献として、特開平１１−７４１２８号公報(特許文献１)がある。特開平１１−７４１２８号公報(特許文献１)に記載された電気機器の現地組立ハウスは、床上に所定の間隔で設置された一対の支柱とこれらの両支柱の各上端に両側が連結された梁とを有する第１〜第３の骨組と、第１〜第３の骨組を囲むように取り付けられた複数の板材からなるパネルユニットと、第２の骨組に取り付けられて前室と組立室とを区画する間仕切と、第１〜第３の骨組上に伸縮可能に取り付けられて両室の上方を開閉する骨組材と防水シートとから形成された屋根とを備える。
【先行技術文献】
【特許文献】
【０００３】
【特許文献１】特開平１１−７４１２８号公報
【発明の概要】
【発明が解決しようとする課題】
【０００４】
電気機器が組み立てられる組立室内は、前室内と比較して高い空気清浄度で維持される。そのため、前室と組立室とを仕切る間仕切の開放時の開放面積が大きいと、組立室内の空気清浄度が低下する。
【０００５】
本発明は上記の問題点に鑑みてなされたものであって、間仕切開放時の開放面積を低減して組立室内の空気清浄度の低下を抑制可能な電気機器の現地組立ハウスを提供することを目的とする。
【課題を解決するための手段】
【０００６】
本発明に基づく電気機器の現地組立ハウスは、内部で電気機器が組み立てられる組立室と、組立室に隣接して設けられ、電気機器の構成部品が内部に保管される前室と、組立室と前室との間を仕切る間仕切とを備える。間仕切は、上端から下端まで一緒に水平方向に開閉される水平開閉式間仕切シートと、下端から上方に向けて開放可能な垂直開閉式間仕切シートとを含む。
【発明の効果】
【０００７】
本発明によれば、間仕切開放時の開放面積を低減して組立室内の空気清浄度の低下を抑制できる。
【図面の簡単な説明】
【０００８】
【図１】比較例１に係る電気機器の現地組立ハウスの拡張前の状態の外観を示す斜視図である。
【図２】比較例１に係る電気機器の現地組立ハウスの構成を示す上面図である。
【図３】比較例１に係る拡張部材の構成を示す斜視図である。
【図４】比較例１に係る電気機器の現地組立ハウスの拡張後の状態の外観を示す斜視図である。
【図５】拡張後の電気機器の現地組立ハウスにおいて間仕切を前室の側端部に取り付けた状態を示す上面図である。
【図６】第１シートの端部と第２シートの端部との繋ぎ目を示す一部側面図である。
【図７】拡張後の電気機器の現地組立ハウスにおいて間仕切を組立室の側端部に取り付けた状態を示す上面図である。
【図８】本発明の実施形態１に係る電気機器の現地組立ハウスにおいて拡張後の状態を示す上面図である。
【図９】比較例２に係る電気機器の現地組立ハウスの外観を示す斜視図である。
【図１０】比較例２に係る電気機器の現地組立ハウスの構成を示す側面図である。
【図１１】比較例２に係る電気機器の現地組立ハウスの構成を示す上面図である。
【図１２】比較例２に係る電気機器の現地組立ハウスにおいて、可動側壁が取り外された状態を示す上面図である。
【図１３】比較例２に係る電気機器の現地組立ハウスにおいて、可動側壁の配置を入れ替えた状態を示す上面図である。
【図１４】比較例２に係る電気機器の現地組立ハウスにおいて、配置を入れ替えた可動側壁が取り外された状態を示す上面図である。
【図１５】比較例２に係る開閉部が閉まっている状態を示す正面図である。
【図１６】比較例２に係る開閉部が閉まっている状態を示す上面図である。
【図１７】比較例２に係る開閉部が開いている状態を示す正面図である。
【図１８】比較例２に係る開閉部が開いている状態を示す上面図である。
【図１９】対向側壁２１３が可動側壁である際の間仕切２３０の構成を示す正面図である。
【図２０】対向側壁２１２が可動側壁である際の間仕切２３０の構成を示す正面図である。
【図２１】本発明の実施形態２に係る電気機器の現地組立ハウスにおける間仕切の構成を示す正面図である。
【図２２】水平開閉式間仕切シートの下部を拡大して示す図である。
【図２３】同実施形態の変形例に係る間仕切の構成を示す正面図である。
【発明を実施するための形態】
【０００９】
まず、比較例１に係る電気機器の現地組立ハウスについて図面を参照して説明する。以下の比較例および実施形態の説明においては、図中の同一または相当部分には同一符号を付して、その説明は繰り返さない。また、以下の比較例および実施形態においては、電気機器として変圧器の組み立てに用いられる現地組立ハウスについて説明するが、電気機器としては変圧器に限られず、分解して搬送されて現地で組立られる電気機器が含まれる。
【００１０】
(比較例１)
図１は、比較例１に係る電気機器の現地組立ハウスの拡張前の状態の外観を示す斜視図である。図１に示すように、比較例１に係る電気機器の現地組立ハウス１００においては、内部で電気機器が組み立てられる組立室１１０と、コイル、鉄心およびタンクなどの電気機器の構成部品が内部に保管され、組立室１１０に隣接する前室１２０とが設けられている。
【００１１】
組立室１１０は、前室１２０との境界を除いて組立室１１０の周囲を囲む側壁と、側壁の上方に設けられた天井１１１とを含む。組立室１１０の側壁は、前室１２０と隣接して互いに対向している側壁１１２，１１３と、側壁１１２，１１３同士の間に位置する背面側壁１１４とから構成されている。
【００１２】
前室１２０は、組立室１１０との境界を除いて前室１２０の周囲を囲む側壁と、側壁の上方に設けられた天井１２１とを含む。前室１２０の側壁は、組立室１１０と隣接して互いに対向している側壁１２２，１２３と、側壁１２２，１２３同士の間に位置する正面側壁１２４とから構成されている。正面側壁１２４には、電気機器の構成部品を搬入するための開閉部１４０が設けられている。
【００１３】
組立室１１０と前室１２０との境界に、互いに隣接する組立室１１０の側端部と前室１２０の側端部とから構成された仕切部１３０が設けられている。仕切部１３０は、組立室１１０の側端部と前室１２０の側端部との間に後述する拡張部材を挿入可能な構造を有している。また、仕切部１３０は、組立室１１０と前室１２０とを仕切る間仕切１５０を有する。間仕切１５０は、組立室１１０の側端部および前室１２０の側端部のいずれか一方に択一的に取り付け可能である。
【００１４】
図２は、比較例１に係る電気機器の現地組立ハウスの構成を示す上面図である。なお、図２においては、天井１１１および天井１２１の内側から電気機器の現地組立ハウス１００の内部を見た図を示している。
【００１５】
図２に示すように、組立室１１０は、骨格部となる２本の柱１１５、柱１３１および柱１３２と、隣接する柱同士の間を塞ぐ３つのパネルとを含む。具体的には、側壁１１２となるパネルが、２本の柱１１５，１３１に取り付けられている。側壁１１３となるパネルが、２本の柱１１５，１３２に取り付けられている。背面側壁１１４となるパネルが、２本の柱１１５に取り付けられている。
【００１６】
組立室１１０は、内側面に位置して気密性を有する第１シートを含む。具体的には、側
壁１１２の内側に、第１シートであるシート１１６が、２本の柱１１５，１３１の間に貼り付けられている。側壁１１３の内側に、第１シートであるシート１１７が、２本の柱１１５，１３２の間に貼り付けられている。背面側壁１１４の内側に、第１シートであるシート１１８が、２本の柱１１５の間に貼り付けられている。
【００１７】
２本の柱１３１，１３２の上方で、２本の柱１３１，１３２の上端同士を橋渡しするように梁１３５が位置している。梁１３５は、後述する間仕切１５０が着脱自在に取り付けられる着脱部を下面に有している。この２本の柱１３１，１３２と梁１３５とが、組立室１１０における前室１２０に隣接する側端部を構成している。
【００１８】
前室１２０は、骨格部となる２本の柱１２５、２本の柱１２６、柱１３３および柱１３４を含む。また、前室１２０は、組立室１１０との境界に位置する２本の柱１３３，１３４と２本の柱１２５とからなる４本の柱のうちの隣接する柱同士の間を塞ぐ３つのパネルを含む。
【００１９】
具体的には、側壁１２２となるパネルが、２本の柱１２５，１３３に取り付けられている。側壁１２３となるパネルが、２本の柱１２５，１３４に取り付けられている。正面側壁１２４となる正面パネルが、２本の柱１２５に取り付けられている。正面パネルは、開閉部１４０が設けられる位置に開口を有する。
【００２０】
２本の柱１２６は、正面パネルの開口のいずれか一方の側方の縁に沿うようにそれぞれ位置している。２本の柱１２６は、それぞれ２本の柱１２５の一方と連結されている。２本の柱１３３，１３４の上方で、２本の柱１３３，１３４の上端同士を橋渡しするように梁１３６が位置している。梁１３６は、後述する間仕切１５０が着脱自在に取り付けられる着脱部を下面に有している。この２本の柱１３３，１３４と梁１３６とが、前室１２０における組立室１１０に隣接する側端部を構成している。
【００２１】
上記の仕切部１３０は、組立室１１０の側端部に含まれる２本の柱１３１，１３２および梁１３５と、前室１２０の側端部に含まれる２本の柱１３３，１３４および梁１３６と、間仕切１５０とから構成されている。
【００２２】
図１，２に示すように、拡張前の状態における電気機器の現地組立ハウス１００では、前室１２０の側端部に含まれる梁１３６の下面の着脱部に間仕切１５０が取り付けられている。間仕切１５０は、梁１３６の延在方向に沿って開閉する複数のカーテン状部材を含む。
【００２３】
組立室１１０内で変圧器１０が組み立て可能である場合には、仕切部１３０に拡張部材が挿入されない状態、すなわち、組立室１１０が拡張されない状態で電気機器の現地組立ハウス１００が建設される。
【００２４】
変圧器１０の長さより長い変圧器１０ａを組み立てる際に、拡張前の組立室１１０内では変圧器１０ａを組み立てられない場合は、仕切部１３０に拡張部材が挿入された状態で電気機器の現地組立ハウス１００ａが建設される。
【００２５】
図３は、比較例１に係る拡張部材の構成を示す斜視図である。図３に示すように、比較例１に係る拡張部材１６０は、４本の柱１６３〜１６６、２つの側部パネル１６１，１６２および上部パネル１６９を含む。
【００２６】
具体的には、互いに対向する２本の柱１６３，１６４の間に側部パネル１６１が挟まれて着脱可能に固定されている。たとえば、柱１６３と柱１６４とが、互いの間に側部パネ
ル１６１を挟んだ状態で、締結部材により連結されている。
【００２７】
互いに対向する２本の柱１６５，１６６の間に側部パネル１６２が挟まれて着脱可能に固定されている。たとえば、柱１６５と柱１６６とが、互いの間に側部パネル１６２を挟んだ状態で、締結部材により連結されている。
【００２８】
互いに対向する２つの側部パネル１６１，１６２の上部同士を繋ぐように上部パネル１６９が着脱可能に固定されている。たとえば、側部パネル１６１と側部パネル１６２とが、互いの間に上部パネル１６９を挟んだ状態で、締結部材により連結されている。
【００２９】
拡張部材１６０は、内側面に位置して気密性を有する第２シートを含む。具体的には、側部パネル１６１の内側に、第２シートであるシート１６７が貼り付けられている。側部パネル１６２の内側に、第２シートであるシート１６８が貼り付けられている。
【００３０】
２つの側部パネル１６１，１６２の間の間隔は、組立室１１０の２本の柱１３１，１３２の間の間隔、および、前室１２０の２本の柱１３３，１３４の間の間隔と略同一である。上部パネル１６９が位置する高さは、組立室１１０の梁１３５および前室１２０の梁１３６が位置する高さと略同一である。２つの側部パネル１６１，１６２および上部パネル１６９の幅は、組み立てられる変圧器１０ａの長さに対応して決められる。
【００３１】
図４は、比較例１に係る電気機器の現地組立ハウスの拡張後の状態の外観を示す斜視図である。図５は、拡張後の電気機器の現地組立ハウスにおいて間仕切を前室の側端部に取り付けた状態を示す上面図である。なお、図５においては、天井１１１および天井１２１の内側から電気機器の現地組立ハウス１００ａの内部を見た図を示している。
【００３２】
図４，５に示すように、仕切部１３０に拡張部材１６０が挿入されることにより、電気機器の現地組立ハウス１００ａが拡張される。具体的には、組立室１１０の側端部に含まれる２本の柱１３１，１３２および梁１３５と、前室１２０の側端部に含まれる２本の柱１３３，１３４および梁１３６との間に、拡張部材１６０が挿入されて締結部材により固定されることにより、電気機器の現地組立ハウス１００ａが長くなる。
【００３３】
間仕切１５０を梁１３６の下面の着脱部に取り付けているため、拡張部材１６０の挿入により拡張された部分は組立室１１０に含まれる。すなわち、拡張部材１６０の側部パネル１６１，１６２および上部パネル１６９は、組立室１１０の外壁となる。組立室１１０が拡張されることにより、長い変圧器１０ａを組立室１１０内で組み立てることが可能となる。
【００３４】
比較例１においては、組立室１１０の第１シートの端部と拡張部材１６０の第２シートの端部とが繋がれている。図６は、第１シートの端部と第２シートの端部との繋ぎ目を示す一部側面図である。
【００３５】
図６に示すように、拡張部材１６０のシート１６８の端部１６８ａは、組立室１１０のシート１１７の端部と、たとえば、面ファスナーなどで繋ぎあわされている。すなわち、シート１６８は、側部パネル１６２、柱１６６および柱１３２の幅より大きな幅で形成されており、端部１６８ａに面ファスナーなどの連結部が設けられている。
【００３６】
図示しないが、拡張部材１６０のシート１６７の端部と、組立室１１０のシート１１６の端部とが同様に繋ぎあわされている。このようにすることにより、拡張された組立室１１０内を一体にして組立室１１０内を気密に保つことができる。そのため、変圧器１０ａを清浄な雰囲気に保たれた組立室１１０内で組み立てることができ、変圧器１０ａの品質
を維持することができる。
【００３７】
変圧器１０ａの長さに対応して、幅の異なる側部パネル１６１，１６２および上部パネル１６９を含む拡張部材１６０を仕切部１３０に挿入することにより、組立室１１０内で変圧器１０ａを組み立てることが可能となる。
【００３８】
また、比較例１に係る電気機器の現地組立ハウス１００では、間仕切１５０を組立室１１０の側端部に取り付けることが可能である。図７は、拡張後の電気機器の現地組立ハウスにおいて間仕切を組立室の側端部に取り付けた状態を示す上面図である。なお、図７においては、天井１１１および天井１２１の内側から電気機器の現地組立ハウス１００ｂの内部を見た図を示している。
【００３９】
図７に示すように、拡張後の状態における電気機器の現地組立ハウス１００ｂでは、組立室１１０の側端部に含まれる梁１３５の下面の着脱部に間仕切１５０が取り付けられている。
【００４０】
間仕切１５０を梁１３５の下面の着脱部に取り付けているため、拡張部材１６０の挿入により拡張された部分は前室１２０に含まれる。すなわち、拡張部材１６０の側部パネル１６１，１６２および上部パネル１６９は、前室１２０の外壁となる。前室１２０が拡張されることにより、組み立て段階の初期において小さな構成部品からなる変圧器１０ｂの組み立てには使用しない門型リフターなどの大型装置を前室１２０内に収納しておくことができる。
【００４１】
このように、組立室１１０および前室１２０のいずれか一方を択一的に拡張することにより、長さの異なる変圧器の組み立てに対応することができるため、組立室１１０および前室１２０の構成部品を共通化しつつ長さの異なる電気機器を組み立てることができる。また、組み立て段階によって、組立室１１０および前室１２０の大きさを択一的に変更することができる。
【００４２】
比較例１においては、拡張部材１６０は、側部パネル１６１，１６２および上部パネル１６９を含んでいたが、拡張部材１６０の構成はこれに限られない。
【００４３】
たとえば、拡張部材１６０は、組立室１１０および前室１２０のいずれか一方の外壁となる伸縮可能な図示しない蛇腹状部材を含むように構成されてもよい。この場合、組立室１１０および前室１２０のいずれか一方は、伸びた蛇腹状部材の大きさに従って拡張される。
【００４４】
このようにした場合、拡張部材１６０により拡張すべき長さに対応する側部パネルおよび上部パネルを都度用意する必要がなく、拡張部材１６０の汎用性を高めることができる。
【００４５】
以下、本発明の実施形態１に係る電気機器の現地組立ハウスについて図面を参照して説明する。なお、本実施形態に係る電気機器の現地組立ハウスは、間仕切の構成のみ、比較例１に係る電気機器の現地組立ハウスと異なるため、他の構成については説明を繰り返さない。
【００４６】
(実施形態１)
図８は、本発明の実施形態１に係る電気機器の現地組立ハウスにおいて拡張後の状態を示す上面図である。なお、図８においては、天井１１１および天井１２１の内側から本実施形態に係る電気機器の現地組立ハウス１００ｃの内部を見た図を示している。
【００４７】
図８に示すように、本実施形態に係る電気機器の現地組立ハウス１００ｃにおいては、間仕切１５０は、上端から下端まで一緒に水平方向に開閉される水平開閉式間仕切シート１５２，１５３と、下端から上方に向けて開放可能な垂直開閉式間仕切シート１５１，１５４とを含む。
【００４８】
具体的には、水平開閉式間仕切シート１５２，１５３は、カーテン状のシートから構成されている。垂直開閉式間仕切シート１５１，１５４には、巻き上げ用の紐が組みつけられている。その紐が上方に引き上げられることにより、垂直開閉式間仕切シート１５１，１５４が下端から上方に向けて巻き上げられて開放するように構成されている。
【００４９】
水平開閉式間仕切シート１５２，１５３および垂直開閉式間仕切シート１５１，１５４は、それぞれシート支持部１７０により支持されている。シート支持部１７０は、４本のレール状部材を含む。４本のレール状部材は、梁１３５に沿う方向に延在している。
【００５０】
水平開閉式間仕切シート１５２，１５３および垂直開閉式間仕切シート１５１，１５４は、それぞれ別々のレール状部材に取り付けられている。水平開閉式間仕切シート１５２，１５３および垂直開閉式間仕切シート１５１，１５４の各々は、取り付けられたレール状部材に対して、レール状部材の延在方向にスライド移動可能に取り付けられている。
【００５１】
シート支持部１７０は、梁１３５と梁１３６との間を繋ぐように梁１３５および梁１３６の両端部近傍の下面に設けられたガイドレール１８０に移動可能に取り付けられている。すなわち、シート支持部１７０は、組立室１１０と前室１２０とが並ぶ方向において移動可能に設けられている。
【００５２】
上記の構成により、シート支持部１７０をガイドレール１８０に対して移動させることにより、間仕切１５０を梁１３５と梁１３６との間の任意の位置に配置して、組立室１１０および前室１２０の大きさをフレキシブルに変更することができる。
【００５３】
また、水平開閉式間仕切シート１５２，１５３および垂直開閉式間仕切シート１５１，１５４から間仕切１５０を構成したことにより、高さの低い構成部品を前室１２０から組立室１１０内に搬入する際には、垂直開閉式間仕切シート１５１または垂直開閉式間仕切シート１５４を途中まで開いて搬入することができる。
【００５４】
よって、水平開閉式間仕切シート１５２，１５３を開くことなく小さな構成部品を搬入することができるため、間仕切１５０の開放時の開放面積を低減して組立室１１０内の空気清浄度の低下を抑制できる。
【００５５】
さらに、水平開閉式間仕切シート１５２，１５３および垂直開閉式間仕切シート１５１，１５４のそれぞれの位置は、スライド移動させることにより入れ替えることができるため、組み立てられる変圧器１０の位置に対応して水平開閉式間仕切シート１５２，１５３および垂直開閉式間仕切シート１５１，１５４を配置することができる。
【００５６】
以下、比較例２に係る電気機器の現地組立ハウスについて図面を参照して説明する。
(比較例２)
図９は、比較例２に係る電気機器の現地組立ハウスの外観を示す斜視図である。図９に示すように、比較例２に係る電気機器の現地組立ハウス２００においては、内部で電気機器が組み立てられる組立室２１０に隣接して、コイル、鉄心およびタンクなどの電気機器の構成部品が内部に保管される前室２２０が設けられている。
【００５７】
組立室２１０は、前室２２０との境界を除いて組立室２１０の周囲を囲む側壁と、側壁の上方に設けられた天井２１１とを含む。組立室２１０の側壁は、前室２２０と隣接して互いに対向している対向側壁２１２，２１３と、対向側壁２１２，２１３同士の間に位置する背面側壁２１４とから構成されている。比較例２においては、対向側壁２１２および対向側壁２１３のいずれか一方が、組み立てられた電気機器の搬出口となる取り外し可能な可動側壁である。まず、対向側壁２１３が可動側壁である場合について説明する。
【００５８】
前室２２０は、組立室２１０との境界を除いて前室２２０の周囲を囲む側壁と、側壁の上方に設けられた天井２２１とを含む。前室２２０の側壁は、組立室２１０と隣接して互いに対向している側壁２２２，１２３と、側壁２２２，２２３同士の間に位置する正面側壁２２４とから構成されている。正面側壁２２４には、電気機器の構成部品を搬入するための開閉部２５０が設けられている。
【００５９】
組立室２１０と前室２２０との境界に、組立室２１０と前室２２０との間を開閉可能に仕切る間仕切２３０が設けられている。
【００６０】
電気機器の現地組立ハウス２００は、開閉部２５０を通過して前室２２０および組立室２１０に電気機器の構成部品を搬入するための直線状の搬送路２４０を備えている。搬送路２４０は、前室２２０の外部から前室２２０を貫通して組立室２１０の内部まで連続して設けられている。
【００６１】
図１０は、比較例２に係る電気機器の現地組立ハウスの構成を示す側面図である。図１１は、比較例２に係る電気機器の現地組立ハウスの構成を示す上面図である。なお、図１０においては、対向側壁２１２および側壁２２２の内側から電気機器の現地組立ハウス２００の内部を見た図を示している。図１１においては、天井２１１および天井２２１の内側から電気機器の現地組立ハウス２００の内部を見た図を示している。
【００６２】
図１０，１１に示すように、組立室２１０は、骨格部となる４本の柱２１５と、隣接する柱２１５同士の間を塞ぐ３つのパネルとを含む。具体的には、対向側壁２１２，２１３となる２つの対向パネルおよび背面側壁２１４となるパネルのそれぞれが、２本の柱２１５に取り付けられている。
【００６３】
対向側壁２１２，２１３となる２つの対向パネルは、互いに入れ替えて骨格部に取り付け可能である。可動側壁である対向側壁２１３となる対向パネルは、２本の柱２１５に着脱可能に取り付けられた可動パネルである。
【００６４】
搬送路２４０は、互いに平行な第１線状部２４１と第２線状部２４２とから構成されている。搬送路２４０上を電気機器の構成部品を搬送するリフトなどが移動する。電気機器は、組立室２１０内の搬送路２４０上で組み立てられる。
【００６５】
搬送路２４０は、図１１において一点鎖線２０で示す組立室２１０の中央より可動側壁である対向側壁２１３側に偏って位置している。図１１においては、第１線状部２４１と第２線状部２４２との中間位置である搬送路２４０の中央を二点鎖線３０で示している。組立室２１０の中央と搬送路２４０の中央とは、距離Ｌ0だけ離れている。
【００６６】
前室２２０は、骨格部となる２本の柱２２５、柱２２６および柱２２７を含む。また、前室２２０は、組立室２１０との境界に位置する２本の柱２１５と２本の柱２２５とからなる４本の柱のうちの隣接する柱同士の間を塞ぐ３つのパネルを含む。
【００６７】
具体的には、側壁２２２，１２３となる２つのパネルおよび正面側壁２２４となる正面パネルのそれぞれが、２本の柱に取り付けられている。正面パネルは、開閉部２５０が設けられる位置に開口を有する。正面パネルは、表裏反転させて２本の柱２２５に取り付け可能である。
【００６８】
柱２２６は、正面パネルの開口の対向側壁２１２側の縁に沿うように位置している。柱２２７は、正面パネルの開口の対向側壁２１３側の縁に沿うように位置している。柱２２６および柱２２７のそれぞれは、２本の柱２２５の一方と連結されている。柱２２５と柱２２６とが連結された第１連結体２６０と、柱２２５と柱２２７とが連結された第２連結体２６１とは、互いに入れ替えて設置可能である。
【００６９】
比較例２においては、前室２２０の中央と組立室２１０の中央とが一点鎖線２０上に位置している。すなわち、搬送路２４０は、前室２２０の中央に対して距離Ｌ0だけ偏って位置している。そのため、開閉部２５０は、搬送路２４０が開閉部２５０を通過するように正面側壁２２４において偏って位置している。
【００７０】
開閉部２５０は、正面側壁２２４に沿う方向に移動する複数の扉部材を含む。具体的には、開閉部２５０は、柱２２６側から柱２２７側に向かって順に並ぶ第１扉部材２５１、第２扉部材２５２、第３扉部材２５３、第４扉部材２５４とから構成される。
【００７１】
開閉部２５０が閉まった状態において、第１扉部材２５１の側壁２２２側の端面と側壁２２２の外表面との距離Ｌ1は、第４扉部材２５４の側壁２２３側の端面と側壁２２３の外表面との距離Ｌ2よりＬ0だけ長い。すなわち、開閉部２５０は、搬送路２４０の前室２２０に対する位置の偏りに合わせて前室２２０に対して偏って位置している。
【００７２】
図９，１０に示すように、組立室２１０と前室２２０との境界に位置する２本の柱２１５の上端同士を橋渡しするように梁２１６が配置されている。梁２１６の下方に間仕切２３０が設けられている。間仕切２３０は、梁２１６の延在方向に沿って開閉する複数のカーテン状部材を含む。言い換えると、間仕切２３０は、組立室２１０と前室２２０との境界に沿う方向に開閉する複数のカーテン状部材を含む。
【００７３】
図１１に示すように、複数のカーテン状部材は、搬送路２４０上に位置する第１カーテン状部材２３１，２３２と、搬送路２４０と可動側壁である対向側壁２１３との間に位置する第２カーテン状部材２３３と、搬送路２４０と可動側壁ではない方の対向側壁２１２との間に位置する第３カーテン状部材２３４とから構成される。
【００７４】
比較例２においては、４つのカーテン状部材が配設されているが、カーテン状部材の数は３つ以上であればよい。カーテン状部材の上部には、梁２１６の下面に設けられた図示しないレール上を転がるローラが所定の間隔を置いて取り付けられている。カーテン状部材は、レールに対して着脱可能に取り付けられている。
【００７５】
以下、比較例２に係る電気機器の現地組立ハウス２００において、変圧器１０が組み立てられて組立室２１０外に搬出されるまでについて説明する。
【００７６】
前室２２０の開閉部２５０の前にトラックなどで搬送されてきた変圧器１０の構成部品は、開閉部２５０の前に待機している搬送路２４０上を移動するリフトに持ち上げられる。その後、開閉部２５０が開いてリフトが前室２２０内に移動し、変圧器１０の構成部品を前室２２０内に配置する。このようにして前室２２０内には、変圧器１０の構成部品が搬入されて保管される。
【００７７】
次に、組立室２１０内で変圧器１０を組み立てるために、前室２２０内に保管されていた変圧器１０の構成部品が再びリフトに持ち上げられる。その後、間仕切２３０の第１カーテン状部材２３１，２３２が開いて、リフトが組立室２１０内に移動し、変圧器１０の構成部品を組立室２１０内に配置する。図１１においては、変圧器１０の構成部品である鉄心ブロック１１を例示的に図示している。
【００７８】
リフトによる変圧器１０の構成部品の搬送径路を短くするために、変圧器１０は搬送路２４０上で組み立てられる。たとえば、鉄心ブロック１１は、図中の矢印４０で示す方向に組み込まれる。順次、前室２２０から組立室２１０内に変圧器１０の構成部品が搬入されて組み立てられることにより、変圧器１０が完成する。
【００７９】
図１２は、比較例２に係る電気機器の現地組立ハウスにおいて、可動側壁が取り外された状態を示す上面図である。図１２においては、天井２１１および天井２２１の内側から電気機器の現地組立ハウス２００の内部を見た図を示している。
【００８０】
図１２に示すように、組立室２１０内で変圧器１０の組み立てが完成した後、可動側壁である対向側壁２１３が取り外される。具体的には、２本の柱２１５から可動パネルが脱着される。次に、組立室２１０内から変圧器１０が図中の矢印５０で示す方向に搬出される。
【００８１】
搬送路２４０は可動側壁である対向側壁２１３側に偏って位置しているため、搬送路２４０上で組み立てられた変圧器１０は対向側壁２１３に近接している。そのため、変圧器１０を組立室２１０から搬出する際の搬送径路が短くなる。
【００８２】
上記のように、変圧器１０の構成部品および組み立てられた変圧器１０の搬送径路を短くすることにより、搬送作業の負荷を軽減できる。
【００８３】
比較例２の電気機器の現地組立ハウス２００は、上述の通り、対向側壁２１２，２１３となる２つの対向パネルは、互いに入れ替えて骨格部に取り付け可能である。すなわち、組立室２１０においては、対向側壁２１２，２１３のいずれか一方を選択的に前記可動側壁とすることができる。
【００８４】
また、柱２２５と柱２２６とが連結された第１連結体２６０と、柱２２５と柱２２７とが連結された第２連結体２６１とは、互いに入れ替えて設置可能である。さらに、正面パネルは表裏反転させて２本の柱２２５に取り付け可能である。すなわち、前室２２０においては、開閉部２５０を正面側壁２２４の可動側壁側に選択的に配設可能である。
【００８５】
電気機器の現地組立ハウス２００が配設される周囲の状況により、組立室２１０から組み立てられた変圧器１０を対向側壁２１２側から搬出しなければならない場合がある。その場合、対向側壁２１２を可動側壁とする。具体的には、対向パネルを互いに入れ替えて骨格部に取り付ける。また、第１連結体２６０と第２連結体２６１とを互いに入れ替えて設置する。さらに、正面パネルを表裏反転させる。
【００８６】
図１３は、比較例２に係る電気機器の現地組立ハウスにおいて、可動側壁の配置を入れ替えた状態を示す上面図である。図１４は、比較例２に係る電気機器の現地組立ハウスにおいて、配置を入れ替えた可動側壁が取り外された状態を示す上面図である。図１３，１４においては、天井２１１および天井２２１の内側から電気機器の現地組立ハウス２００の内部を見た図を示している。
【００８７】
図１３に示すように、搬送路２４０は、組立室２１０の中央に対して距離Ｌ0だけ対向側壁２１２側に偏って位置している。搬送路２４０は、前室２２０の中央に対して距離Ｌ0だけ側壁２２２側に偏って位置している。
【００８８】
開閉部２５０は、搬送路２４０が開閉部２５０を通過するように正面側壁２２４において偏って位置している。具体的には、開閉部２５０が閉まった状態において、第１扉部材２５１の側壁２２２側の端面と側壁２２２の外表面との距離Ｌ1は、第４扉部材２５４の側壁２２３側の端面と側壁２２３の外表面との距離Ｌ2よりＬ0だけ短い。すなわち、開閉部２５０は、搬送路２４０の前室２２０に対する位置の偏りに合わせて前室２２０に対して偏って位置している。
【００８９】
間仕切２３０においては、第１カーテン状部材２３１，２３２が搬送路２４０上に位置するように移設され、第２カーテン状部材２３３と第３カーテン状部材２３４とが互いに入れ替えられている。
【００９０】
リフトによる変圧器１０の構成部品の搬送径路を短くするために、変圧器１０は搬送路２４０上で組み立てられる。たとえば、鉄心ブロック１１は、図中の矢印４１で示す方向に組み込まれる。順次、前室２２０から組立室２１０内に変圧器１０の構成部品は搬入されて組み立てられることにより、変圧器１０が完成する。
【００９１】
図１４に示すように、組立室２１０内で変圧器１０の組み立てが完成した後、可動側壁である対向側壁２１２が取り外される。具体的には、２本の柱２１５から可動パネルが脱着される。次に、組立室２１０内から変圧器１０が図中の矢印５１で示す方向に搬出される。
【００９２】
搬送路２４０は可動側壁である対向側壁２１２側に偏って位置しているため、搬送路２４０上で組み立てられた変圧器１０は対向側壁２１２に近接している。そのため、変圧器１０を組立室２１０から搬出する際の搬送径路が短くなる。
【００９３】
上記のように可動側壁を入れ替えて変圧器１０の搬出方向を逆にした場合にも、変圧器１０の構成部品および組み立てられた変圧器１０の搬送径路を短くすることにより、搬送作業の負荷を軽減できる。
【００９４】
以下、比較例２に係る電気機器の現地組立ハウス２００の開閉部２５０について詳細に説明する。
【００９５】
図１５は、比較例２に係る開閉部が閉まっている状態を示す正面図である。図１６は、比較例２に係る開閉部が閉まっている状態を示す上面図である。図１７は、比較例２に係る開閉部が開いている状態を示す正面図である。図１８は、比較例２に係る開閉部が開いている状態を示す上面図である。
【００９６】
図１５，１６に示すように、開閉部２５０は、第１扉部材２５１と第４扉部材２５４とが正面側壁２２４に沿うように互いに所定の間隔を置いて配置されている。第２扉部材２５２は、第１扉部材２５１に沿うように配置されている。第３扉部材２５３は、第４扉部材２５４に沿うように配置されている。
【００９７】
第１から第４扉部材２５１〜２５４のそれぞれは、正面側壁２２４に沿う方向に移動可能に設けられている。第２扉部材２５２と第３扉部材２５３との対向面同士が接することにより、開閉部２５０が閉じた状態になる。
【００９８】
上述の通り、開閉部２５０が閉まった状態において、第１扉部材２５１の側壁２２２側の端面と側壁２２２の外表面との距離Ｌ1は、第４扉部材２５４の側壁２２３側の端面と側壁２２３の外表面との距離Ｌ2よりＬ0だけ長い。すなわち、第４扉部材２５４の側壁２２３側の端面と側壁２２３の外表面との間の間隔は、搬送路２４０が偏って位置している分だけ短くなっている。
【００９９】
図１７，１８に示すように、開閉部２５０は、開閉部２５０が開いた状態において正面側壁２２４の側壁２２３側の端部から第３扉部材２５３および第４扉部材２５４の一部が突き出さないように、４つの扉部材が組み合わされて構成されている。
【０１００】
具体的には、開閉部２５０が開いた状態において、第１扉部材２５１の第４扉部材２５４と対向する対向面が正面側壁２２４の開口の縁に沿うようになるまで、第１扉部材２５１が移動する。第２扉部材２５２の第３扉部材２５３と対向する対向面が正面側壁２２４の開口の縁に沿うようになるまで、第２扉部材２５２が移動する。
【０１０１】
第３扉部材２５３の第２扉部材２５２と対向する対向面が正面側壁２２４の開口の縁に沿うようになるまで、第３扉部材２５３が移動する。第４扉部材２５４の第１扉部材２５１と対向する対向面が正面側壁２２４の開口の縁に沿うようになるまで、第４扉部材２５４が移動する。
【０１０２】
このように開閉部２５０が開いた状態において、第４扉部材２５４の側壁２２３側の端面が側壁２２３の外表面から突き出さないように、第１から第４扉部材２５１〜２５４の幅が設定されている。
【０１０３】
開閉部２５０を第１から第４扉部材２５１〜２５４で構成することにより、側壁２２３の外側に空きスペースがない場合においても、開閉部２５０の開閉が可能となり、変圧器１０の構成部品を搬入できる。
【０１０４】
以下、比較例２に係る電気機器の現地組立ハウス２００の間仕切２３０について詳細に説明する。
【０１０５】
図１９は、対向側壁２１３が可動側壁である際の間仕切２３０の構成を示す正面図である。図２０は、対向側壁２１２が可動側壁である際の間仕切２３０の構成を示す正面図である。
【０１０６】
図１９に示すように、対向側壁２１３が可動側壁である際には、搬送路２４０は対向側壁２１３側に偏って位置している。そのため、第２カーテン状部材２３３は幅が狭く形成され、第３カーテン状部材２３４は幅が広く形成されている。
【０１０７】
組立室２１０内に変圧器１０の構成部品が搬入される際には、第１カーテン状部材２３１が図中の矢印２３５で示す方向に開き、第１カーテン状部材２３２が図中の矢印２３６で示す方向に開く。
【０１０８】
対向側壁２１３側の近傍で組立室２１０に出入する際には、第２カーテン状部材２３３は図中の矢印２３７で示す方向に開く。対向側壁２１２側の近傍で組立室２１０に出入する際には、第３カーテン状部材２３４は図中の矢印２３８で示す方向に開く。
【０１０９】
上記のように間仕切２３０を複数のカーテン状部材で構成することにより、組立室２１０に出入する際に間仕切２３０が開放される面積を低減して、空気清浄度の低い前室２２０内の空気が空気清浄度の高い組立室２１０内に浸入する量を低減することができる。
【０１１０】
図２０に示すように、対向側壁２１２が可動側壁である際には、搬送路２４０は対向側壁２１２側に偏って位置している。そのため、幅の狭い第２カーテン状部材２３３が対向側壁２１２側に配設され、幅の広い第３カーテン状部材２３４が対向側壁２１３側に配設される。すなわち、図１９に示した状態から、第２カーテン状部材２３３と第３カーテン状部材２３４とが互いに入れ替えて配設されている。
【０１１１】
第１カーテン状部材２３１，２３２は、第２カーテン状部材２３３と第３カーテン状部材２３４との間に配設される。具体的には、第１カーテン状部材２３１，２３２は、距離２Ｌ0だけ対向側壁２１２側に移設されている。
【０１１２】
組立室２１０内に変圧器１０の構成部品が搬入される際には、第１カーテン状部材２３１が図中の矢印２３５で示す方向に開き、第１カーテン状部材２３２が図中の矢印２３６で示す方向に開く。
【０１１３】
対向側壁２１３側の近傍で組立室２１０に出入する際には、第３カーテン状部材２３４は図中の矢印２３７で示す方向に開く。対向側壁２１２側の近傍で組立室２１０に出入する際には、第２カーテン状部材２３３は図中の矢印２３８で示す方向に開く。
【０１１４】
このように、複数のカーテン状部材が組立室２１０と前室２２０との境界内において移設可能に取り付けられることにより、搬送路２４０の位置変更に対応して複数のカーテン状部材の配置構成を変更することができる。その結果、搬送路２４０の位置を変更した場合にも、組立室２１０に出入する際に間仕切２３０が開放される面積を低減して、空気清浄度の低い前室２２０内の空気が空気清浄度の高い組立室２１０内に浸入する量を低減することができる。
【０１１５】
以下、本発明の実施形態２に係る電気機器の現地組立ハウスについて図面を参照して説明する。なお、本実施形態に係る電気機器の現地組立ハウスは、間仕切の構成のみ、比較例２に係る電気機器の現地組立ハウスと異なるため、他の構成については説明を繰り返さない。
【０１１６】
(実施形態２)
図２１は、本発明の実施形態２に係る電気機器の現地組立ハウスにおける間仕切の構成を示す正面図である。図２１に示すように、本実施形態に係る電気機器の現地組立ハウスにおいては、間仕切３３０は、上端から下端まで一緒に水平方向に開閉される水平開閉式間仕切シート３３１，３３２と、下端から上方に向けて開放可能な垂直開閉式間仕切シート３３３，３３４とを含む。
【０１１７】
具体的には、水平開閉式間仕切シート３３１，３３２は、矢印３３５，３３６で示す方向に開閉されるカーテン状のシートから構成されている。垂直開閉式間仕切シート３３３，３３４には、巻き上げ用の紐が組みつけられている。その紐が上方に引き上げられることにより、垂直開閉式間仕切シート３３３，３３４が矢印３３７，３３８で示す方向に、下端から上方に向けて巻き上げられて開放するように構成されている。
【０１１８】
水平開閉式間仕切シート３３１，３３２および垂直開閉式間仕切シート３３３，３３４は、それぞれ図示しないシート支持部により支持されている。シート支持部は、図示しない４本のレール状部材を含む。４本のレール状部材は、梁２１６に沿う方向に延在している。
【０１１９】
水平開閉式間仕切シート３３１，３３２および垂直開閉式間仕切シート３３３，３３４は、それぞれ別々のレール状部材に取り付けられている。水平開閉式間仕切シート３３１，３３２および垂直開閉式間仕切シート３３３，３３４の各々は、取り付けられたレール状部材に対して、レール状部材の延在方向にスライド移動可能に取り付けられている。
【０１２０】
水平開閉式間仕切シート３３１，３３２および垂直開閉式間仕切シート３３３，３３４から間仕切３３０を構成したことにより、高さの低い構成部品を前室２２０から組立室２１０内に搬入する際には、垂直開閉式間仕切シート３３３または垂直開閉式間仕切シート３３４を途中まで開いて搬入することができる。
【０１２１】
よって、水平開閉式間仕切シート３３１，３３２を開くことなく電気機器の構成部品を搬入することができるため、間仕切３３０の開放時の開放面積を低減して組立室２１０内の空気清浄度の低下を抑制できる。
【０１２２】
さらに、水平開閉式間仕切シート３３１，３３２および垂直開閉式間仕切シート３３３，３３４のそれぞれの位置は、スライド移動させることにより入れ替えることができるため、組み立てられる変圧器１０の位置に対応して水平開閉式間仕切シート３３１，３３２および垂直開閉式間仕切シート３３３，３３４を配置することができる。
【０１２３】
また、本実施形態に係る電気機器の現地組立ハウスは、組立室２１０内を気密に維持するために、水平開閉式間仕切シート３３１，３３２および垂直開閉式間仕切シート３３３，３３４の周側部の少なくとも一部に位置する目張りシート３４０をさらに備える。
【０１２４】
具体的には、垂直開閉式間仕切シート３３３と柱２１５との間、および、垂直開閉式間仕切シート３３４と柱２１５との間を目張りするように、目張りシート３４０が貼り付けられている。
【０１２５】
図２２は、水平開閉式間仕切シートの下部を拡大して示す図である。図２２に示すように、間仕切３３０において、水平開閉式間仕切シート３３１，３３２および垂直開閉式間仕切シート３３３，３３４のうち互いに隣接して位置するシート同士は重複部３３３を有する。重複部３３３には、面ファスナー３５０が形成されている。
【０１２６】
水平開閉式間仕切シート３３１，３３２および垂直開閉式間仕切シート３３３，３３４が閉じた状態において、互いに隣接して位置するシート同士の重複部３３３は面ファスナー３５０により互いに固定されている。
【０１２７】
上記の構成により、間仕切３３０が閉じた際の組立室２１０内の気密性を向上することができる。また、組立室２１０内を正圧に維持することにより、外部から組立室２１０内に塵および埃などが浸入することを抑制して、組立室２１０内の空気清浄度を維持するようにしてもよい。
【０１２８】
図２３は、本実施形態の変形例に係る間仕切の構成を示す正面図である。図２３に示すように、本実施形態の変形例に係る間仕切は、垂直開閉式間仕切シート４３１，４３２，４３３，４３４からなる第１間仕切４３０と、水平開閉式間仕切シート５３１，５３２，５３３，５３４からなる第２間仕切５３０とが、重ねられて２重構造に設けられている。
【０１２９】
具体的には、前室２２０側に第１間仕切４３０が配置され、組立室２１０側に第２間仕切５３０が配置されている。
【０１３０】
垂直開閉式間仕切シート４３１，４３２，４３３，４３４は、矢印４３５，４３６，４３７，４３８に示す方向に、下端から上方に向けて巻き上げられて開放するように構成されている。
【０１３１】
水平開閉式間仕切シート５３１，５３２，５３３，５３４は、矢印５３５，５３６，５３７，５３８で示す方向に開閉されるカーテン状のシートから構成されている。
【０１３２】
このように間仕切を２重構造で構成して、第１間仕切４３０および第２間仕切５３０の開放状態を種々組み合わせることにより、必要最小限の開放面積で間仕切を開放することができる。そのため、間仕切の開放時の開放面積をさらに低減して組立室２１０内の空気清浄度の低下を抑制できる。
【０１３３】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【０１３４】
１０，１０ａ，１０ｂ  変圧器、１１  鉄心ブロック、１００，１００ａ，１００ｂ，１００ｃ，２００  現地組立ハウス、１１０，２１０  組立室、１１１，１２１，２１１，２２１  天井、１１２，１１３，１２２，１２２，１２３，２２２，２２３  側壁、１１４，２１４  背面側壁、１１５，１２５，１２６，１３１，１３２，１３３，１３４，１６３，１６４，１６５，１６６，２１５，２２５，２２６，２２７  柱、１１６，１１７，１１８，１６７，１６８  シート、１２０，２２０  前室、１２４，２２４  正面側壁、１３０  仕切部、１３５，１３６，２１６  梁、１４０，２５０  開閉部、１５０，２３０，３３０  間仕切、１５１，１５４，３３３，３３４，４３１，４３２，４３３，４３４  垂直開閉式間仕切シート、１５２，１５３，３３１，３３２，５３１，５３２，５３３，５３４  水平開閉式間仕切シート、１６０  拡張部材、１６１，１６２  側部パネル、１６９  上部パネル、１７０  シート支持部、１８０  ガイドレール、２１２，２１３  対向側壁、２３１，２３２  第１カーテン状部材、２３３  第２カーテン状部材、２３４  第３カーテン状部材、２４０  搬送路、２４１  第１線状部、２４２  第２線状部、２５１  第１扉部材、２５２  第２扉部材、２５３  第３扉部材、２５４  第４扉部材、２６０  第１連結体、２６１  第２連結体、３３３  重複部、３４０  目張りシート、３５０  面ファスナー、４３０  第１間仕切、５３０  第２間仕切。
【図１】
0005777505.tif 000002
【図２】
0005777505.tif 000003
【図３】
0005777505.tif 000004
【図４】
0005777505.tif 000005
【図５】
0005777505.tif 000006
【図６】
0005777505.tif 000007
【図７】
0005777505.tif 000008
【図８】
0005777505.tif 000009
【図９】
0005777505.tif 000010
【図１０】
0005777505.tif 000011
【図１１】
0005777505.tif 000012
【図１２】
0005777505.tif 000013
【図１３】
0005777505.tif 000014
【図１４】
0005777505.tif 000015
【図１５】
0005777505.tif 000016
【図１６】
0005777505.tif 000017
【図１７】
0005777505.tif 000018
【図１８】
0005777505.tif 000019
【図１９】
0005777505.tif 000020
【図２０】
0005777505.tif 000021
【図２１】
0005777505.tif 000022
【図２２】
0005777505.tif 000023
【図２３】
0005777505.tif 000024